(57)【特許請求の範囲】
【請求項１】
それぞれ高さの異なる複数の陳列ユニットからなり、前記各陳列ユニットを所定方向または逆方向に移動させて該陳列ユニットの高さの順番に配置することで階段状の陳列台を展開可能な陳列什器であって、
前記複数の陳列ユニットの各々は、
商品を陳列可能な陳列台と、
前記陳列台を陳列ユニットごとに定められた高さに下側から支持するとともに、隣り合った陳列ユニットに対して相対的に移動可能にする支持部と、を備え、
前記複数の陳列ユニットのうち、自ユニットより高さの低い陳列ユニットがある陳列ユニットの前記支持部には、自ユニットより高さの低い陳列ユニットを収納可能である収納部が設けられており、
前記複数の陳列ユニットのうち、自ユニットより一段高さの低い陳列ユニットである下段陳列ユニットおよび自ユニットより一段高さの高い陳列ユニットである上段陳列ユニットの両方を有し、前記下段陳列ユニットおよび前記上段陳列ユニットの両方が床上に支持されている中間陳列ユニットは、
前記中間陳列ユニットの底板の前記所定方向における両端部にはそれぞれキャスターが設けられ、
前記両端部のうちの一方の端部に設けられたキャスターは前記中間陳列ユニットと前記下段陳列ユニットとの間に介在し、前記両端部のうちの他方の端部に設けられたキャスターは前記中間陳列ユニットと前記上段陳列ユニットとの間に介在し、
前記中間陳列ユニットは、前記両端部に設けられたキャスターを介して、前記下段陳列ユニットと前記上段陳列ユニットの両方によって支持されたことを特徴とする陳列什器。
【請求項２】
前記収納部は、自ユニットより高さの低い陳列ユニットにおいて前記陳列台が前記支持部に対して前記所定方向と垂直方向に突出した部分を、前記所定方向と異なる方向であり、かつ、前記所定方向の逆方向とも異なる方向から囲うことによって収納する収納凸部を含むことを特徴とする請求項１に記載の陳列什器。
【請求項３】
前記複数の陳列ユニットのうち、自ユニットより高さの低い陳列ユニットがある陳列ユニットの前記支持部における前記収納部より上側の部分には、前記所定方向に垂直な面および前記所定方向に平行な側面が板状部材により覆われた箱状部が設けられたことを特徴
とする請求項１または請求項２に記載の陳列什器。
【請求項４】
前記陳列ユニットの陳列台には、該陳列台と、該陳列ユニットより一段高さの高い陳列ユニットの陳列台である上段陳列台との段差より低い高さを有し、該陳列台の上に載置することで該陳列台と該上段陳列台の間に補助的な陳列台を構成する補助陳列部材が付属されたことを特徴とする請求項１から請求項３のいずれか一項に記載の陳列什器。
【発明の詳細な説明】
【技術分野】
【０００１】
本発明は、陳列什器に関する。
【背景技術】
【０００２】
従来、商品を陳列する際に、階段状の陳列台が用いられている。階段状の陳列台は、例えば、段ボール箱等のブロック状の備品を積み上げることで作製される。また、例えば、底板と棚板を交互に配置する事で作製される階段状の商品陳列棚が提案されている（例えば、特許文献１参照）。
【先行技術文献】
【特許文献】
【０００３】
【特許文献１】特開２００６−２８８８２６号公報
【発明の概要】
【発明が解決しようとする課題】
【０００４】
このような階段状の陳列台を作製する事は、作業者にとって大きな負担となる。また、このような陳列台は、階段状の構造を有するため、保管時に広いスペースが要求される。そこで、本発明は、使用しないときには省スペースに保管可能であり、使用時には各段の陳列ユニットを引き出すことで階段状の陳列台を容易に構成可能な陳列什器を提供することを課題とする。
【課題を解決するための手段】
【０００５】
本発明では、上記課題を解決するために、以下の手段を採用した。すなわち、本発明は、次の陳列什器である。本陳列什器は、それぞれ高さの異なる複数の陳列ユニットからなり、各陳列ユニットを所定方向または逆方向に移動させて該陳列ユニットの高さの順番に配置することで階段状の陳列台を展開可能な陳列什器である。本陳列什器の各陳列ユニットは、商品を陳列可能な陳列台と、陳列台を陳列ユニットごとに定められた高さに下側から支持するとともに、隣り合った陳列ユニットに対して相対的に移動可能にする支持部とを備える。複数の陳列ユニットのうち、自ユニットより高さの低い陳列ユニットがある陳列ユニットの前記支持部には、自ユニットより高さの低い陳列ユニットを収納可能である収納部が設けられている。
【０００６】
このような発明によれば、各陳列ユニットは、相対的に移動可能に支持されている。また、自ユニットより高さの低い陳列ユニットを収納部に収納可能である。そのため、このような発明に係る陳列什器は、各陳列ユニットを収納部に収納することで省スペースに保管可能である。また、このような発明に係る陳列什器は、収納部に収納された各陳列ユニットを引き出すことで、容易に階段状の陳列台を展開可能である。
【０００７】
さらに、本発明は次の特徴を有してもよい。収納部は、自ユニットより高さの低い陳列ユニットにおいて前記陳列台が前記支持部に対して前記所定方向と垂直方向に突出した部分を、前記所定方向および逆方向以外の方向から囲うことによって収納する収納凸部を含むことを特徴とする。このような発明に係る陳列什器は、左右方向に突出する陳列台を有する陳列ユニットを、収納部に収納する事が可能となる。
【０００８】
さらに、本発明は次の特徴を有してもよい。複数の陳列ユニットのうち、自ユニットより高さの低い陳列ユニットがある陳列ユニットの前記支持部における収納部より上側の部分には、所定方向に垂直な面および所定方向に平行な側面が板状部材により覆われた箱状
部が設けられたことを特徴とする。このような発明に係る陳列什器は、箱状部によってその内部構造を目視不可とできる。また、箱状部によって、陳列された商品の転倒を抑制する事が可能となる。
【０００９】
さらに、本発明は次の特徴を有してもよい。陳列ユニットの陳列台には、該陳列台と、該陳列ユニットより一段高さの高い陳列ユニットの陳列台である上段陳列台との段差より低い高さを有し、該陳列台の上に載置することで該陳列台と該上段陳列台の間に補助的な陳列台を構成する補助陳列部材が付属されたことを特徴とする。このような発明に係る陳列什器は、陳列台と上段陳列台との間に補助的な棚を用意する事が可能である。
【００１０】
さらに、本発明は次の特徴を有してもよい。複数の陳列ユニットのうち、自ユニットより一段高さの低い陳列ユニットである下段陳列ユニットおよび自ユニットより一段高さの高い陳列ユニットである上段陳列ユニットの両方を有し、下段陳列ユニットおよび上段陳列ユニットの両方が床上に支持されている中間陳列ユニットは、下段陳列ユニットおよび上段陳列ユニットの両方に対して所定方向または逆方向に相対移動可能に該下段陳列ユニットおよび該上段陳列ユニットによって支持されることを特徴とする。このような発明によれば、中間陳列ユニットの高さの基準が下段陳列ユニットおよび上段陳列ユニットとなる。そのため、中間陳列ユニットの、下段陳列ユニットおよび上段陳列ユニットに対する高さの精度を確保し易くすることができる。その結果、中間陳列ユニットの下段陳列ユニットおよび上段陳列ユニットとの相対的な移動に好適な状態を保つことが可能となる。また、中間陳列ユニットの、下段陳列ユニットおよび、上段陳列ユニットの陳列台に対する高さを高精度に管理することができる。さらに、中間陳列ユニットが床に直接支持されないことで、床に支持されるキャスターの数を減らすことができ、床に支持されるキャスター同士の密集や干渉を抑制することができる。
【発明の効果】
【００１１】
本陳列什器は、使用しないときには省スペースに保管可能であり、使用時には各段の陳列ユニットを引き出すことで階段状の陳列台を容易に構成可能である。
【図面の簡単な説明】
【００１２】
【図１】図１は、第１実施形態に係るひな壇陳列棚の斜視図の一例である。
【図２】図２は、第１実施形態に係るひな壇陳列棚の各段を収納した状態の一例を示す斜視図である。
【図３】図３は、第１実施形態に係るひな壇陳列棚における下段引出部の位置の一例を示す図である。
【図４】図４は、ひな壇陳列棚における下段引出部の正面図の一例である。
【図５】図５は、ひな壇陳列棚における下段引出部の右側面図の一例である。
【図６】図６は、ひな壇陳列棚における下段引出部の左側面図の一例である。
【図７】図７は、ひな壇陳列棚における中段引出部の位置の一例を示す図である。
【図８】図８は、ひな壇陳列棚における中段引出部の正面図の一例である。
【図９】図９は、ひな壇陳列棚における中段引出部の右側面図の一例である。
【図１０】図１０は、ひな壇陳列棚における中段引出部の左側面図の一例である。
【図１１】図１１は、中段引出部の下段引出収納部に下段引出部が収納された状態を示す正面概略図の一例である。
【図１２】図１２は、ひな壇陳列棚における枠部の位置の一例を示す図である。
【図１３】図１３は、ひな壇陳列棚における枠部の正面図の一例である。
【図１４】図１４は、ひな壇陳列棚における枠部の右側面図の一例である。
【図１５】図１５は、ひな壇陳列棚における枠部の左側面図の一例である。
【図１６】図１６は、上段引出部の中段引出収納部に中段引出部が収納された状態を示す正面概略図の一例である。
【図１７】図１７は、ひな壇陳列棚において、キャスターおよびレールの配置の一例を示す図である。
【図１８】図１８は、ひな壇陳列棚の上段補助棚、中段補助棚および下段補助棚を上方に引き出した状態の一例を示す図である。
【図１９】図１９は、２台のひな壇陳列棚を背中合わせに配置した状態の一例を示す図である。
【発明を実施するための形態】
【００１３】
以下、図面を参照して、一実施形態に係るひな壇陳列棚について説明する。以下に示す実施形態の構成は例示であり、本発明は実施形態の構成に限定されない。
【００１４】
＜第１実施形態＞
図１は、第１実施形態に係るひな壇陳列棚１の斜視図の一例である。ひな壇陳列棚１は、上段の上段棚３１、中段の中段棚２１、下段の下段棚１１と高さの異なる３段の棚を有する商品陳列棚である。ひな壇陳列棚１は、異なる高さの棚を複数有することで、いわゆるひな壇陳列が可能となっている。ひな壇陳列棚１は、上段棚３１を提供する枠部３０、中段棚２１を提供する中段引出部２０、下段棚１１を提供する下段引出部１０および複数のキャスター５０を備える。ひな壇陳列棚１では、図１に例示されるように、下段引出部１０、中段引出部２０および枠部３０が高さの順に配置されている。ひな壇陳列棚１は、複数のキャスター５０を備えることで床上を容易に移動可能である。以下、本明細書において、図１の下段引出部１０側を前、枠部３０側を奥（または後ろ）とする。また、図１のひな壇陳列棚１に向かって右側を右、左側を左とする。さらに、図１の上段棚３１側を上、図１のキャスター５０側を下とする。ひな壇陳列棚１は、本発明の「陳列什器」の一例である。
【００１５】
図２は、第１実施形態に係るひな壇陳列棚１の各段を収納した状態の斜視図の一例である。枠部３０は、中段引出部２０を収納可能である。また、中段引出部２０は、下段引出部１０を収納可能である。ひな壇陳列棚１は、下段引出部１０が中段引出部２０に、中段引出部２０が枠部３０に収納されることで、図２に例示するように前後方向の長さを縮小することができる。すなわち、ひな壇陳列棚１は、省スペースに保管可能である。また、ひな壇陳列棚１は、下段引出部１０が中段引出部２０から引き出され、中段引出部２０が枠部３０から引き出されることで、図１に例示するような多段構造を有する商品陳列棚として使用可能となる。上段棚３１、中段棚２１および下段棚１１は、本発明の「陳列台」の一例である。上段棚３１は、中段棚２１に対する「上段陳列台」の一例である。中段棚２１は、下段段部１１に対する「上段陳列台」の一例である。
【００１６】
下段引出部１０は、ひな壇陳列棚１の最下段の棚である下段棚１１を提供する。図３は、第１実施形態に係るひな壇陳列棚１における下段引出部１０の位置の一例を示す図である。下段引出部１０は、図３において、実線で記載された部分である。すなわち、下段引出部１０は、枠部３０から中段引出部２０が引き出され、中段引出部２０から下段引出部１０が引き出された状態において、ひな壇陳列棚１の最前面に位置する。なお、実際には下段引出部１０の一部は、中段引出部２０の内部に侵入しているが、当該侵入部分については図３において図示していない。
【００１７】
下段引出部１０は、下段棚１１、下段補助棚１２、下段箱部１３およびキャスター５０を有する。図４は、ひな壇陳列棚１における下段引出部１０の正面図の一例である。図５は、ひな壇陳列棚１における下段引出部１０の右側面図の一例である。図６は、ひな壇陳列棚１における下段引出部１０の左側面図の一例である。図４に例示される下段前面板１３ａ、図５に例示される下段右側面板１３ｂおよび図６に例示される下段左側面板１３ｃのそれぞれは、板状の部材である。下段前面板１３ａは、その法線が前後方向と一致して
いる。すわなち、下段前面板１３ａは、前後方向と垂直な面となっている。下段右側面板１３ｂおよび下段左側面板１３ｃは、その法線が前後方向と直交し、その面が前後方向と平行になっている。下段箱部１３は、下段前面板１３ａ、下段右側面板１３ｂおよび下段左側面板１３ｃによって、上面視コの字形状に形成されている。下段箱部１３は、ひな壇陳列棚１の内部構造を外部から目視不可とする。
【００１８】
下段箱部１３の左右両端の下方には、それぞれレール１５、１５が設けられている。レール１５、１５は、後述する中段引出部２０のキャスター２６ａを前後方向に移動可能に支持する。レール１５、１５の前後端部には、レール１５、１５の前後端部を塞ぐように設けられたストッパー１５ａ、１５ａが設けられている。このストッパー１５ａ、１５ａにより、後述する中段引出部２０のキャスター２６ａの前後方向の移動範囲が規制されている。レール１５、１５は、キャスター支持部５０ａによって前後２箇所において互いに接続されている。キャスター５０は、キャスター支持部５０ａの下方の左右二箇所に設けられている。すなわち、下段引出部１０は、４つのキャスター５０を介して床上に移動可能に支持される。
【００１９】
下段棚１１は平坦に形成されており、下段箱部１３の上に水平に設けられている。また、下段棚１１の幅は、下段箱部１３の幅より大きい。すなわち、下段棚１１は、下段箱部１３に対して、左右方向に突出する部分である下段棚突出部１１ａ、１１ａを有する。
【００２０】
図３に例示される下段補助棚１２は、下段棚１１の左右方向の中央において奥側に収納されている。下段補助棚１２は、下段棚１１と中段棚２１の段差より低い高さを有する。下段補助棚１２の上面は、下段棚１１に収納された状態において、下段棚１１と同一の高さの平面を構成する。下段補助棚１２は、上方向に引き出された位置で固定可能である。下段補助棚１２を上方向に引き出した位置で固定する方法に限定は無い。例えば、下段補助棚１２は、上方向に引き出され、上下方向の軸の周りに１８０度回転させることにより、下段棚１１の上に引き出された状態で下段棚１１に載置可能な構成としてもよい。すなわち、収納された状態では、下段補助棚１２の下部に設けられた凸部と、下段棚１１に設けられた凹部または孔とが嵌合することで、下段補助棚１２が下段棚１１に収納された形となっている。この状態から下段補助棚１２を上方向に引き出し、上下方向の軸の周りに１８０度回転させることにより、下段補助棚１２の下部に設けられた凸部と、下段棚１１に設けられた凹部または孔の位置がずれ、嵌合しなくなる。このことにより、下段補助棚１２の凸部の先端が直接、下段棚１１の上に当接し、下段補助棚１２が、下段棚１１の上に引き出された状態で、下段棚１１に載置されるような構成でもよい。また、同様に、下段補助棚１２が下段棚１１から引き出され、水平方向に移動されることにより、下段補助棚１２の下部に設けられた凸部と、下段棚１１に設けられた凹部または孔の位置がずれるような構成としてもよい。下段補助棚１２は、上方向に引き出されて固定されることで、中段棚２１と下段棚１１との中間の高さの棚を提供する。下段引出部１０は、本発明の「陳列ユニット」の一例である。キャスター５０および下段箱部１３は、本発明の「支持部」の一例である。下段補助棚１２は、本発明の「補助陳列部材」の一例である。
【００２１】
中段引出部２０は、ひな壇陳列棚１において下から２段目の高さの棚を提供する。図７は、ひな壇陳列棚１における中段引出部２０の位置の一例を示す図である。中段引出部２０は、図７において、実線で記載された部分である。すなわち、中段引出部２０は、枠部３０から中段引出部２０が引き出され、中段引出部２０から下段引出部１０が引き出された状態において、下段引出部１０と枠部３０との間に位置する。なお、実際には中段引出部２０の一部は、枠部３０の内部に侵入しているが、当該侵入部分については図７において図示していない。中段引出部２０は、中段棚２１、中段箱部２３および下段引出収納部２４を有する。中段引出部２０は、本発明の「陳列ユニット」の一例である。
【００２２】
図８は、ひな壇陳列棚１における中段引出部２０の正面図の一例である。図９は、ひな壇陳列棚１における中段引出部２０の右側面図の一例である。図１０は、ひな壇陳列棚１における中段引出部２０の左側面図の一例である。図８に例示される中段前面板２３ａ、図９に例示される中段右側面板２３ｂおよび図１０に例示される中段左側面板２３ｃのそれぞれは、板状の部材である。中段前面板２３ａは、その法線が前後方向と一致している。すわなち、中段前面板２３ａは、前後方向と垂直な面となっている。中段右側面板２３ｂおよび中段左側面板２３ｃは、その法線が前後方向と直交し、その面が前後方向と平行になっている。中段箱部２３は、中段前面板２３ａ、中段右側面板２３ｂおよび中段左側面板２３ｃによって、上面視コの字形状に形成されている。中段箱部２３は、ひな壇陳列棚１の内部構造を外部から目視不可とする。中段右側面板２３ｂおよび中段左側面板２３ｃのそれぞれの下端は、下段側面棚２５、２５のそれぞれと接続されている。この下段側面棚２５、２５は、後述するように、中空の棚であり、下段棚突出部１１ａを囲うことが可能となっている。
【００２３】
中段棚２１は、ひな壇陳列棚１において、下から２段目の高さに設けられる棚である。中段棚２１は、平坦に形成されており、中段箱部２３の上に水平に設けられている。また、中段棚２１の幅は、中段箱部２３の幅より大きい。すなわち、中段棚２１は、中段箱部２３に対して、左右方向に突出する部分である中段棚突出部２１ａ、２１ａを有する。中段棚２１は、本発明の「陳列台」の一例である。
【００２４】
図７に例示される中段補助棚２２は、中段棚２１の左右方向の中央において奥側に収納されている。中段補助棚２２は、中段棚２１と上段棚３１の段差より低い高さを有する。中段補助棚２２の上面は、中段棚２１に収納された状態において、中段棚２１と同一の高さの平面を構成する。中段補助棚２２は、上方向に引き出された位置で固定可能である。中段補助棚２２を上方向に引き出した位置で固定する方法に限定は無い。例えば、中段補助棚２２は、上方向に引き出され、上下方向の軸の周りに１８０度回転させることにより、中段棚２１の上に引き出された状態で中段棚２１に載置可能な構成としてもよい。すなわち、収納された状態では、中段補助棚２２の下部に設けられた凸部と、中段棚２１に設けられた凹部または孔とが嵌合することで、中段補助棚２２が中段棚２１に収納された形となっている。この状態から中段補助棚２２を上方向に引き出し、上下方向の軸の周りに１８０度回転させることにより、中段補助棚２２の下部に設けられた凸部と、中段棚２１に設けられた凹部または孔の位置がずれ、嵌合しなくなる。このことにより、中段補助棚２２の凸部の先端が直接、中段棚２１の上に当接し、中段補助棚２２が、中段棚２１の上に引き出された状態で、中段棚２１に載置されるような構成でもよい。また、同様に、中段補助棚２２が中段棚２１から引き出され、水平方向に移動されることにより、中段補助棚２２の下部に設けられた凸部と、中段棚２１に設けられた凹部または孔の位置がずれるような構成としてもよい。中段補助棚２２は、上方向に引き出されて固定されることで、上段棚３１と中段棚２１との中間の高さの棚を提供する。中段補助棚２２は、本発明の「補助陳列部材」の一例である。
【００２５】
下段引出収納部２４は、図７から図９に例示される下段側面棚２５、２５、図９に例示される下段右側面板２４ｂ、図１０に例示される下段左側面板２４ｃを含む。下段側面棚２５、２５は、それぞれ中段引出部２０の左右の側面から突出して設けられる中空の棚である。下段側面棚２５、２５は、下段引出部１０の下段棚１１と略同一の高さに設けられる。下段側面棚２５、２５は、下段引出部１０において下段箱部１３に対して、左右方向に突出する部分である下段棚突出部１１ａ、１１ａを前後方向とは異なる方向、すなわち上下方向および左右方向から囲う事が可能な形状となっている。
【００２６】
下段右側面板２４ｂおよび下段左側面板２４ｃは、下段引出収納部２４の左右に設けられる板状の部材である。下段右側面板２４ｂおよび下段左側面板２４ｃの下方端部には、
図８に例示される下段底板２７、２７が設けられている。下段底板２７、２７は、互いに離間している。下段右側面板２４ｂおよび下段左側面板２４ｃのそれぞれの上端は、下段側面棚２５、２５のそれぞれと接続されている。下段右側面板２４ｂおよび下段左側面板２４ｃの間隔は、下段引出部１０の下段箱部１３の幅より大きい。また、下段右側面板２４ｂおよび下段左側面板２４ｃの高さは、下段引出部１０の下段箱部１３の高さと略同一である。そのため、下段引出収納部２４は、下段右側面板２４ｂおよび下段左側面板２４ｃによって、下段引出部１０の下段箱部１３を左右方向から挟むことが可能となっている。
【００２７】
下段底板２７、２７には、前後方向に延びるように取り付けられた長板状のキャスター固定板２６ｃ、２６ｃが、法線が左右方向に向かうような姿勢で取り付けられている。そして、下段底板２７、２７の下方の前後端部には、それぞれキャスター２６がキャスター固定板２６ｃを介して設けられている。キャスター２６は、中段引出部２０の前方に設けられるキャスター２６ａおよび中段引出部２０の後方に設けられるキャスター２６ｂを含む。キャスター２６ａは、キャスター固定板２６ｃの内側に設けられる。キャスター２６ｂは、キャスター固定板２６ｃの外側に設けられる。中段箱部２３、下段引出収納部２４、下段側面棚２５，２５およびキャスター２６は、本発明の「支持部」の一例である。下段引出収納部２４は、本発明の「収納部」の一例である。下段側面棚２５，２５は、本発明の「収納凸部」の一例である。
【００２８】
図１１は、中段引出部２０の下段引出収納部２４に下段引出部１０が収納された状態を示す正面概略図の一例である。図１１に例示するように、下段引出収納部２４は、下段側面棚２５、下段右側面板２４ｂ、下段左側面板２４ｃおよび下段底板２７、２７によって前後方向とは異なる方向から下段引出部１０を囲うことで、下段引出部１０を収納する。この状態で、キャスター２６ａは、レール１５において、レール１５の前端部に設けられたストッパー１５ａと接触している。
【００２９】
枠部３０は、ひな壇陳列棚１の最上段の棚を提供する。図１２は、ひな壇陳列棚１における枠部３０の位置の一例を示す図である。枠部３０は、図１２において、実線で記載された部分である。すなわち、枠部３０は、枠部３０から中段引出部２０が引き出され、中段引出部２０から下段引出部１０が引き出された状態において、ひな壇陳列棚１の最後面に位置する。枠部３０は、把持部３８、上段棚３１、上段箱部３５、中段引出収納部３０ａおよびキャスター５０を含む。枠部３０は、本発明の「陳列ユニット」の一例である。
【００３０】
図１３は、ひな壇陳列棚１における枠部３０の正面図の一例である。図１４は、ひな壇陳列棚１における枠部３０の右側面図の一例である。図１５は、ひな壇陳列棚１における枠部３０の左側面図の一例である。図１３に例示される上段前面板３５ａ、図１４に例示される上段右側面板３５ｂおよび図１５に例示される上段左側面板３５ｃのそれぞれは、板状の部材である。上段前面板３５ａは、その法線が前後方向と一致している。すわなち、上段前面板３５ａは、前後方向と垂直な面となっている。上段右側面板３５ｂおよび上段左側面板３５ｃは、その法線が前後方向と直交し、その面が前後方向と平行になっている。上段箱部３５は、上段前面板３５ａ、上段右側面板３５ｂおよび上段左側面板３５ｃによって、上面視コの字形状に形成されている。上段箱部３５は、ひな壇陳列棚１の内部構造を外部から目視不可とする。上段右側面板３５ｂおよび上段左側面板３５ｃのそれぞれは、中段側面棚３３、３３のそれぞれと接続されている。この中段側面棚３３、３３は、中空の棚であり、中段引出部２０の中段棚２１において左右に突出する部分である中段棚突出部２１ａ、２１ａを囲うことが可能となっている。
【００３１】
上段棚３１は、ひな壇陳列棚１の最上段の棚である。上段棚３１は、平坦に形成されており、上段箱部３５の上に水平に設けられている。また、上段棚３１の幅は、上段箱部３
５の幅より大きい。すなわち、上段棚３１は、上段箱部３５に対して、左右方向に突出する部分である上段棚突出部３１ａ、３１ａを有する。上段棚３１は、本発明の「陳列台」の一例である。
【００３２】
図１２に例示される上段補助棚３２は、上段棚３１の左右方向の中央において奥側に収納されている。上段補助棚３２は、例えば、下段補助棚１２または中段補助棚２２と略同一の高さを有する。上段補助棚３２の上面は、上段棚３１に収納された状態において、上段棚３１と同一の高さの平面を構成する。上段補助棚３２は、上方向に引き出された位置で固定可能である。上段補助棚３２を上方向に引き出した位置で固定する方法に限定は無い。例えば、上段補助棚３２は、上方向に引き出され、上下方向の軸の周りに１８０度回転させることにより、上段棚３１の上に引き出された状態で上段棚３１に載置可能な構成としてもよい。すなわち、収納された状態では、上段補助棚３２の下部に設けられた凸部と、上段棚３１に設けられた凹部または孔とが嵌合することで、上段補助棚３２が上段棚３１に収納された形となっている。この状態から上段補助棚３２を上方向に引き出し、上下方向の軸の周りに１８０度回転させることにより、上段補助棚３２の下部に設けられた凸部と、上段棚３１に設けられた凹部または孔の位置がずれ、嵌合しなくなる。このことにより、上段補助棚３２の凸部の先端が直接、上段棚３１の上に当接し、上段補助棚３２が、上段棚３１の上に引き出された状態で、上段棚３１に載置されるような構成でもよい。また、同様に、上段補助棚３２が上段棚３１から引き出され、水平方向に移動されることにより、上段補助棚３２の下部に設けられた凸部と、上段棚３１に設けられた凹部または孔の位置がずれるような構成としてもよい。上段補助棚３２は、上方向に引き出されて固定されることで、上段棚３１よりも高い位置の棚を提供する。上段補助棚３２は、本発明の「補助陳列部材」の一例である。
【００３３】
把持部３８は、上段棚３１の奥側に設けられた正面視コの字形状を有する枠状部材である。把持部３８は、ひな壇陳列棚１を移動させる際に作業者によって把持される部分となる。また、把持部３８の上面である把持部上面３８ａは、平坦に形成されており、上面棚３１から把持部上面３８ａまでの高さは、上段補助棚３２と略同一の高さを有する。そのため、上段補助棚３２が上方向に引き出された状態で固定された場合、上段補助棚３２と把持部上面３８ａとは同一の高さとなる平面を構成する。
【００３４】
中段引出収納部３０ａは、中段側面棚３３、３３、中段枠部３６、下段側面棚３４、３４および下段枠部３７を含む。中段側面棚３３、３３は、枠部３０の左右の側面から突出して設けられる中空の棚である。中段側面棚３３、３３は、中段引出部２０の中段棚２１と略同一の高さに設けられる。中段側面棚３３、３３は、中段引出部２０において中段箱部２３に対して左右方向に突出する部分である中段棚突出部２１ａ、２１ａを前後方向とは異なる方向、すなわち上下方向および左右方向から囲う事が可能な形状となっている。
【００３５】
中段枠部３６は、中段右側面板３６ｂおよび中段左側面板３６ｃを含む。中段右側面板３６ｂおよび中段側面板３６ｃは、中段枠部３６の左右に設けられる板状の部材である。中段右側面板３６ｂおよび中段左側面板３６ｃのそれぞれの上端は、中段側面棚３３、３３のそれぞれと接続されている。さらに、中段右側面板３６ｂおよび中段左側面板３６ｃのそれぞれの下端は、下段側面棚３４、３４のそれぞれと接続されている。中段右側面板３６ｂと中段左側面板３６ｃとの間隔は、中段引出部２０の中段箱部２３の幅より大きい。また、中段右側面板３６ｂおよび中段左側面板３６ｃの高さは、中段引出部２０の中段箱部２３の高さと略同一である。そのため、中段枠部３６は、中段右側面板３６ｂおよび中段左側面板３６ｃによって、中段引出部２０の中段箱部２３を左右方向から挟むことが可能となっている。
【００３６】
下段側面棚３４、３４は、枠部３０の左右の側面から突出して設けられる中空の棚であ
る。下段側面棚３４、３４は、中段引出部２０の下段側面棚２５、２５と略同一の高さに設けられる。下段側面棚３４、３４は、中段引出部２０において下段箱部２４に対して左右方向に突出する部分である下段側面棚２５、２５を前後方向とは異なる方向、すなわち上下方向および左右方向から囲う事が可能な形状となっている。
【００３７】
下段枠部３７は、下段右側面板３７ｂおよび下段左側面板３７ｃを含む。下段右側面板３７ｂおよび下段左側面板３７ｃは、下段枠部３７の左右に設けられる板状の部材である。下段右側面板３７ｂおよび下段左側面板３７ｃの下方端部には、下段底板３７ｄ、３７ｄが設けられている。下段底板３７ｄ、３７ｄは、互いに離間している。下段右側面板３７ｂおよび下段左側面板３７ｃのそれぞれの上端は、下段側面棚３４、３４のそれぞれと接続されている。下段右側面板３７ｂと下段左側面板３７ｃとの間隔は、中段引出部２０の下段右側面板２４ｂと下段左側面板２４ｃとの間隔より大きい。また、下段右側面板３７ｂおよび下段左側面板３７ｃの高さは、中段引出部２０の下段右側面板２４ｂおよび下段左側面板２４ｃの高さと略同一である。そのため、下段枠部３７の下段右側面板３７ｂおよび下段左側面板３７ｃは、中段引出部２０の下段右側面板２４ｂおよび下段左側面板２４ｃを左右方向から挟むことが可能となっている。
【００３８】
下段底板３７ｄ、３７ｄの下方には、レール３９、３９が設けられている。レール３９、３９は、中段引出部２０のキャスター２６ｂを前後方向に移動可能に支持する。レール３９、３９の前後端部には、レール３９、３９の前後端部を塞ぐようにストッパー３９ａ、３９ａが設けられている。このストッパー３９ａ、３９ａにより、中段引出部２０のキャスター２６ｂの前後方向の移動範囲が規制されている。キャスター５０は、レール３９、３９の下方の前後端部に設けられている。すなわち、枠部３０は、４つのキャスター５０を介して床上に移動可能に支持される。上段箱部３５、中段側面棚３３，３３、中段枠部３６、下段枠部３７およびキャスター５０は、本発明の「支持部」の一例である。中段引出収納部３０ａは、本発明の「収納部」の一例である。
【００３９】
図１６は、上段引出部３０の中段引出収納部３０ａに中段引出部２０が収納された状態を示す正面概略図の一例である。なお、図１６において、中段引出部２０には、下段引出部１０が収納されている。図１６に例示されるように、中段引出収納部３０ａは、中段側面棚３３、３３、中段右側面板３６ｂ、中段左側面板３６ｃ、下段側面棚３４、３４、下段右側面板３７ｂ、下段左側面板３７ｃおよび下段底板３７ｄ、３７ｄによって前後方向とは異なる方向、すなわち上下方向および左右方向から中段引出部２０を囲うことで、中段引出部２０を収納している。この状態で、キャスター２６ｂは、レール３９において、レール３９の後端部に設けられたストッパー３９ａと接触している。
【００４０】
図１７は、ひな壇陳列棚１において、キャスターおよびレールの配置の一例を示す図である。図１７は、ひな壇陳列棚１において、キャスターおよびレールの配置を上方から見た図の一例である。中段引出部２０のキャスター２６ａは、下段引出部１０のレール１５によって支持されている。また、中段引出部２０のキャスター２６ｂは、枠部３０のレール３９によって支持されている。すなわち、中段引出部２０は、下段引出部１０および枠部３０の両方に対して、キャスター２６を介して相対移動可能に支持される。
【００４１】
また、レール１５のストッパー１５ａによって、レール１５におけるキャスター２６ａの移動範囲が規制される。さらに、ストッパー３９ａによって、レール３９におけるキャスター２６ｂの移動範囲が規制される。その結果、キャスター２６のレール１５およびレール３９からの脱落が抑制される。
【００４２】
図１８は、ひな壇陳列棚１の上段補助棚３２、中段補助棚２２および下段補助棚１２を上方に引き出した状態の一例を示す図である。ひな壇陳列棚１は、上段補助棚３２、中段
補助棚２２および下段補助棚１２を引き出して固定することで、上段棚３１、中段棚２１および下段棚１１の中間の高さの棚および上段棚３１よりも高い位置の棚を提供できる。
【００４３】
ひな壇陳列棚１は、単独で用いられることに限定されず、複数並べて使用する事も可能である。図１９は、２台のひな壇陳列棚１を背中合わせに配置した状態の一例を示す図である。ひな壇陳列棚１を２台背中合わせに配置すると、上段棚３１と上段棚３１、中段側面棚３３と中面側面棚３３、下段側面棚３４と下段側面棚３４の各棚がそれぞれ当接される。その結果、ひな壇陳列棚１の周囲３６０度にわたって、商品陳列が可能となる。
【００４４】
以上で説明した第１実施形態に係るひな壇陳列棚１は、枠部３０から中段引出部２０を、中段引出部２０から下段引出部１０を容易に引き出すことが可能である。そのため、ひな壇陳列棚１は、ひな壇陳列に用いる階段状の陳列棚を容易に構成可能である。
【００４５】
ひな壇陳列棚１では、下段引出部１０は中段引出部２０に、中段引出部２０は枠部３０に収納可能となっている。そのため、ひな壇陳列棚１は、省スペースに保管することができる。
【００４６】
ひな壇陳列棚１では、下段引出部１０は中段引出部２０に、中段引出部２０は枠部３０に完全に収納された。すなわち、下段引出部１０および中段引出部２０が収納された図２に例示される状態の場合、ひな壇陳列棚１の前後方向の幅は、枠部３０の前後方向の幅と一致している。しかしながら、ひな壇陳列棚１は、このような構成に限定されるわけではない。ひな壇陳列棚１は、例えば、下段引出部１０の一部が中段引出部２０に収納され、中段引出部２０の一部が枠部３０に収納される構成とすることも可能である。このような構成が採用された場合でも、ひな壇陳列棚１は、階段状の陳列棚をそのまま保管する場合と比較して、省スペースに保管可能である。
【００４７】
ひな壇陳列棚１では、中段引出部２０は、床から直接支持されるのではなく、下段引出部１０および枠部３０によって支持された。その結果、中段引出部２０の高さの基準が下段引出部１０および枠部３０となる。そのため、中段引出部２０と下段引出部１０および枠部３０との相対的な高低差は略一定に保たれる。その結果、下段棚１１と下段側面棚２５、２５との間のクリアランスのバラツキや、中段棚２１と中断側面棚３３、３３との間のクリアランスのバラツキを抑えることができ、中段引出部２０の下段引出部１０および枠部３０との相対的な移動に好適な状態を保つことが可能となる。また、下段棚１１と下段側面棚２５、２５との間のクリアランスや、中段棚２１と中断側面棚３３、３３との間のクリアランス自体を小さく設定することができるので、装置に無駄な空間が生じることを抑制できる。また、中段引出部２０が床に直接支持されないことで、床に支持されるキャスター５０の数を減らすことができ、床に支持されるキャスター同士の密集や干渉を抑制することができる。
【００４８】
ひな壇陳列棚１は、キャスター５０を介して床上に移動可能に支持されている。また、ひな壇陳列棚１を移動させる際には、作業者は把持部３８を把持する事が可能である。その結果、ひな壇陳列棚１は、床上を容易に移動する事が可能である。
【００４９】
ひな壇陳列棚１では、下段引出部１０、中段引出部２０および枠部３０は、相対的に移動可能に構成された。そのため、下段引出部１０、中段引出部２０および枠部３０の相対的な移動量を調整することで、下段棚１１、中段棚２１および上段棚３１の奥行きを調整可能である。すなわち、ひな壇陳列棚１は、下段棚１１、中段棚２１および上段棚３１の相対的な位置を調整可能である。さらに、ひな壇陳列棚１は、例えば、下段引出部１０が中段引出部２０から引き出され、中段引出部２０は枠部３０に収納された状態で使用する事も可能である。また、例えば、中段引出部２０が枠部３０から引き出され、かつ、下段
引出部１０が中段引出部２０に収納された状態で使用することも可能である。
【００５０】
ひな壇陳列棚１は、上段箱部３５、中段箱部２３および下段箱部１３を備えることで、上段棚３１、中段棚２１、中段側面棚３３、下段側面棚２５および下段棚１１に陳列される商品の転倒を抑制可能である。また、ひな壇陳列棚１は、上段箱部３５、中段箱部２３および下段箱部１３を備えることで、その内部構造を外部から目視不可とすることができる。また、ひな壇陳列棚１では、上段箱部３５、中段箱部２３および下段箱部１３に陳列される商品を紹介するポスター等を貼付することで装飾が施されてもよい。
【００５１】
ひな壇陳列棚１では、上段棚３１、中段棚２１および下段棚１１のそれぞれに、上段補助棚３２、中段補助棚２２および下段補助棚１２が設けられた。その結果、ひな壇陳列棚１は、上段棚３１、中段棚２１および下段棚１１のそれぞれの中間の高さの棚および上段棚３１より高い位置の棚を提供する事が可能である。また、ひな壇陳列棚１から上段補助棚３２、中段補助棚２２および下段補助棚１２を省略する事も可能である。
【００５２】
ひな壇陳列棚１では、下段棚突出部１１ａ、中段棚突出部２１ａおよび上段棚突出部３１ａを有し、下段側面棚２５、２５、下段側面棚３４、３４および中段側面棚３３、３３を有することで、側面にも商品を陳列可能であった。しかしながら、側面に商品陳列を行わない場合、ひな壇陳列棚１から下段棚突出部１１ａ、中段棚突出部２１ａおよび上段棚突出部３１ａ、下段側面棚２５、２５、下段側面棚３４、３４および中段側面棚３３、３３を省略する事も可能である。
【００５３】
ひな壇陳列棚１の上段棚３１、中段棚２１および下段棚１１は水平に設けられた。しかしながら、上段棚３１、中段棚２１および下段棚１１は、水平に設けられることに限定されない。上段棚３１、中段棚２１および下段棚１１には、例えば、前方に向けて傾斜が設けられてもよい。前方に向けて傾斜を設けることで、上段棚３１、中段棚２１および下段棚１１の奥側に陳列された商品が、前方向から容易に目視可能となる。
【００５４】
ひな壇陳列棚１では、上段棚３１、中段棚２１および下段棚１１は、それぞれ上段箱部３５、中段箱部２３、下段箱部１３によって支持された。しかしながら、上段棚３１、中段棚２１および下段棚１１を支持する構造は、箱状の部材に限定されない。上段棚３１、中段棚２１および下段棚１１は、例えば、棒状の部材によって支持されることも可能である。
【００５５】
ひな壇陳列棚１は、キャスター５０を介して床上に移動可能に支持されていた。しかしながら、ひな壇陳列棚１は、その構成からキャスター５０を省略することも可能である。また、ひな壇陳列棚１において、下段引出部１０または枠部３０のいずれか一方からキャスター５０を省略する構成とすることも可能である。
【００５６】
ひな壇陳列棚１は、上段、中段および下段の３段構成であった。しかしながら、ひな壇陳列棚１は、３段構成に限定されない。ひな壇陳列棚１は、４段以上の構成を有することも可能である。その際、ひな壇陳列棚１の段数は、５段、７段などの奇数であってもよい。そうすると、例えばひな壇陳列棚１の段数が５段の場合には、最下段の下段引出部と、３段目の引出部と、最上段の枠部は、直接キャスター５０を介して床に移動可能に支持されるようにし、第２段目は下段引出部と３段目の引出部に、第４段目の引出部は、３段目の引出部と枠部とに、キャスターを介して移動可能に支持されることが可能となる。
【００５７】
以上で開示した実施形態や変形例はそれぞれ組み合わせる事ができる。
【符号の説明】
【００５８】
１・・・ひな壇陳列棚
１０・・・下段引出部
１１・・・下段棚
１１ａ・・・下段棚突出部
１２・・・下段補助棚
１５・・・レール
２０・・・中段引出部
２１・・・中段棚
２１ａ・・・中段棚突出部
２２・・・中段補助棚
２４・・・下段引出収納部
２６・・・キャスター
３０・・・枠部
３０ａ・・・中段引出収納部
３１・・・上段棚
３１ａ・・・上段棚突出部
３２・・・上段補助棚
３９・・・レール
５０・・・キャスター
【図１】
0006624420.tif 000002
【図２】
0006624420.tif 000003
【図３】
0006624420.tif 000004
【図４】
0006624420.tif 000005
【図５】
0006624420.tif 000006
【図６】
0006624420.tif 000007
【図７】
0006624420.tif 000008
【図８】
0006624420.tif 000009
【図９】
0006624420.tif 000010
【図１０】
0006624420.tif 000011
【図１１】
0006624420.tif 000012
【図１２】
0006624420.tif 000013
【図１３】
0006624420.tif 000014
【図１４】
0006624420.tif 000015
【図１５】
0006624420.tif 000016
【図１６】
0006624420.tif 000017
【図１７】
0006624420.tif 000018
【図１８】
0006624420.tif 000019
【図１９】
0006624420.tif 000020